(57)【要約】【課題】空気（外気）を装置内に取り込む際に植栽部に通過させるタイプの空気清浄緑化装置において、通気空間内における乱流などの発生を防止して通気空間内の空気の流れを整えることができる空気清浄緑化装置が望まれていた。【解決手段】本発明に係る空気清浄緑化装置は、正面側に植栽部を有する、土壌および／または基盤が充填された植栽容器と、正面側に開口を有するとともに、植栽容器を収納する収納空間を設けた筐体と、筐体に設けたファンを備える空気清浄緑化装置であって、植栽容器と筐体によって形成された通気空間を備えるとともに、ファンの吸気口側および／または排気口側に第一整流部材を設けたことを特徴とする。【選択図】図１
2018102221.tif 000002
【特許請求の範囲】
【請求項１】
正面側に植栽部を有する、土壌および／または基盤が充填された植栽容器と、
正面側に開口を有するとともに、前記植栽容器を収納する収納空間を設けた筐体と、
前記筐体に設けたファンを備える空気清浄緑化装置であって、
前記植栽容器と前記筐体によって形成された通気空間を備えるとともに、
前記ファンの吸気口側および／または排気口側に第一整流部材を設けたことを特徴とする空気清浄緑化装置。
【請求項２】
前記第一整流部材が、
前記吸気口側および／または前記排気口側から離れるにつれて拡がるように形成されたものであることを特徴とする請求項１に記載の空気清浄緑化装置。
【請求項３】
さらに、
一または複数の前記筐体の前記ファンの設置面を覆う背面カバーを備え、
前記通気空間が、
前記植栽容器と前記筐体によって形成された空間に加えて、前記筐体の背面と前記背面カバーとの間に形成された空間であり、
前記筐体の背面と前記背面カバーとの間に形成された空間内に第二整流部材を設けたことを特徴とする請求項１または請求項２に記載の空気清浄緑化装置。
【請求項４】
前記第二整流部材が、
前記背面カバーの内側の角部を円弧状とするものであることを特徴とする請求項３に記載の空気清浄緑化装置。
【発明の詳細な説明】
【技術分野】
【０００１】
本発明は空気清浄緑化装置に関するものである。詳しくは、装置内に整流部材を設けることによって、通気空間内における乱流などの発生を防止して通気空間内の空気の流れを整えることができる空気清浄緑化装置に関するものである。
また、通気空間内の空気の流れを整えることによって、植栽部を通過する空気（外気）の量を確保することができ、空気清浄効果を向上させることができる空気清浄緑化装置に関するものである。
さらに、通気空間内の空気の流れを整えることによって、装置から発生する振動や騒音を低減することができる空気清浄緑化装置に関するものである。
【背景技術】
【０００２】
従前から、室内や屋外に設置されることによって、設置環境の空気清浄を行うとともに緑化も行う空気清浄緑化装置が各種開発されており（例えば、特許文献１、２）、本願出願人においても特許文献３に記載の空気清浄緑化装置を開発している。
【０００３】
このような空気清浄緑化装置は、空気（外気）を装置内に取り込む際に植栽部に通過させることによって清浄を行った上で取り込み、その後清浄された空気を装置外に排出するタイプのもの（特許文献１）と、空気（外気）を一旦装置内に取り込んだ後、植栽部の底から空気を植栽部に通過させることによって清浄し、清浄された空気を植栽部から装置外に排出するタイプのもの（特許文献２、３）の２つのタイプに大別される。
【０００４】
ここで、空気（外気）を装置内に取り込む際（空気（外気）を装置内に吸い込む際）に植栽部に通過させるタイプのものについては、空気（外気）を一旦装置内に取り込んで植栽部の底から空気（外気）を植栽部に通過させることによって清浄するタイプのように、取り込んだ空気（外気）をファンなどの送風装置を使って強制的に植栽部に通過させる（送り込む）ようなことができない。
従って、空気（外気）が植栽部をうまく通過しない場合には空気清浄効果が低下してしまうという問題がある。
【先行技術文献】
【特許文献】
【０００５】
【特許文献１】特開２００８−２７２１１５号公報
【特許文献２】特開２００４−２５５２６２号号公報
【特許文献３】特開２０１６−１２９５０２号公報
【特許文献４】特開平１１−９８９２４号公報
【特許文献５】特開２０１１−２１２０１２号公報
【特許文献６】特開２０１６−４１０１６号公報
【特許文献７】特開２０１６−１４０２４９号公報
【発明の概要】
【発明が解決しようとする課題】
【０００６】
そこで、空気（外気）を装置内に取り込む際に空気（外気）を植栽部に通過させるタイプのものについては、空気清浄効果の低下を防止するための方策として、植栽部の構造を工夫したり、ファンなどの吸引装置の能力を向上したりすることが行われている。
【０００７】
しかしながら、このような方策を採用した場合には、構造が複雑になったり、設備が大掛かりになったりしてしまうという問題がある。また、コストも高くなってしまうという問題もある。
【０００８】
本発明は、上記した従来の問題点に鑑みてなされたものであって、空気（外気）を装置内に取り込む際に植栽部に通過させるタイプの空気清浄緑化装置において、装置内に整流部材を設けることによって、通気空間内における乱流などの発生を防止して通気空間内の空気の流れを整えることができる空気清浄緑化装置の提供を目的とするものである。
また、通気空間内の空気の流れを整えることによって、植栽部を通過する空気（外気）の量を確保することができ、空気清浄効果を向上させることができる空気清浄緑化装置の提供を目的とするものである。
さらに、通気空間内の空気の流れを整えることによって、装置から発生する振動や騒音を低減することができる空気清浄緑化装置に関するものである。
【０００９】
なお、植物栽培の分野においては、本願出願人におけるものも含めて整流板を設けた発明が多数なされている（特許文献４〜７）が、これらはいずれも取り込んだ外気や水蒸気流を植栽に均一に供給することを目的とするものであり、本願発明とは目的を異にするものである。また、本願発明と特許文献４〜７とは、整流板の形状の面からも異なるものである。
【課題を解決するための手段】
【００１０】
上記目的を達成するために、本発明の請求項１に係る空気清浄緑化装置は、正面側に植栽部を有する、土壌および／または基盤が充填された植栽容器と、正面側に開口を有するとともに、植栽容器を収納する収納空間を設けた筐体と、筐体に設けたファンを備える空気清浄緑化装置であって、植栽容器と筐体によって形成された通気空間を備えるとともに、ファンの吸気口側および／または排気口側に第一整流部材を設けたことを特徴とする。
【００１１】
本発明の請求項２に係る空気清浄緑化装置は、第一整流部材が、吸気口側および／または排気口側から離れるにつれて拡がるように形成されたものであることを特徴とする。
【００１２】
本発明の請求項３に係る空気清浄緑化装置は、さらに、一または複数の筐体のファンの設置面を覆う背面カバーを備え、通気空間が、植栽容器と筐体によって形成された空間に加えて、筐体の背面と背面カバーとの間に形成された空間であり、筐体の背面と背面カバーとの間に形成された空間内に第二整流部材を設けたことを特徴とする。
【００１３】
本発明の請求項４に係る空気清浄緑化装置は、第二整流部材が、背面カバーの内側の角部を円弧状とするものであることを特徴とする。
【発明の効果】
【００１４】
本発明の空気清浄緑化装置によれば、整流部材を設けることによって、通気空間内における乱流などの発生を防止して通気空間内の空気の流れを整えることができる。すなわち、植栽部を通過した空気が通気空間内に滞留することなく通気空間（収納空間）の外に排出されることになることから、空気（外気）がスムースに装置内（植栽部）に取り込まれることになり、植栽部を通過する空気（外気）の量を確保することができる。
そして、空気（外気）をスムースに装置内（植栽部）に通過させることができることから、空気清浄効果を向上させることができる。
また、植栽部を通過した空気を通気空間内に滞留させることなく通気空間（収納空間）の外に排出することができることから、通気空間内には若干の負圧効果も生じることになり、この点からも空気（外気）がスムースに装置内（植栽部）に取り込まれることになり、植栽部を通過する空気（外気）の量を確保することができる。
さらに、通気空間内の空気の流れを整えることができることから、装置から発生する振動や騒音を低減することもできる。
【００１５】
本発明の請求項２に係る空気清浄緑化装置によれば、第一整流部材を特定の形状とすることによって、通気空間内の空気の流れをより整えることができ、上記の効果をより向上させることができる。
【００１６】
本発明の請求項３に係る空気清浄緑化装置によれば、さらに一または複数の筐体のファンの設置面を覆う背面カバーを備えるとともに、第二整流部材を設けることによって、筐体の背面と背面カバーとの間に形成された通気空間内における乱流などの発生を防止して通気空間内の空気の流れを整えることができる。そして、植栽部を通過する空気（外気）の量を確保することができることから、空気清浄効果をより向上させることができる。
【００１７】
本発明の請求項４に係る空気清浄緑化装置によれば、第二整流部材を特定の形状とすることによって、通気空間内の空気の流れをより整えることができ、上記の効果をより向上させることができる。
【図面の簡単な説明】
【００１８】
【図１】本発明に係る空気清浄緑化装置の一の実施形態を示す断面模式図である。
【図２】図１の空気清浄緑化装置の分解斜視図である。
【図３】図１の空気清浄緑化装置に用いられる植栽容器の構造を示す分解斜視図である。
【図４】図１の空気清浄緑化装置に用いられる植栽容器と筐体とファンと第一整流部材の位置関係を示す分解斜視図である。
【図５】図１の空気清浄緑化装置に用いられる筐体とファンと第一整流部材の取付状態を示す断面模式図である。
【図６】図１の空気清浄緑化装置に用いられる背面カバー枠の側面図である。
【発明を実施するための形態】
【００１９】
本発明の実施形態を図面に基づいて説明する。なお、以下に述べる実施形態は本発明を具体化した一例に過ぎず、本発明の技術的範囲を限定するものでない。
図１は本発明に係る空気清浄緑化装置の一の実施形態を示す断面模式図であり、図２は図１の空気清浄緑化装置の分解斜視図であり、図３は図１の空気清浄緑化装置に用いられる植栽容器の構造を示す分解斜視図であり、図４は図１の空気清浄緑化装置に用いられる植栽容器と筐体とファンと第一整流部材の位置関係を示す分解斜視図であり、図５は図１の空気清浄緑化装置に用いられる筐体とファンと第一整流部材の取付状態を示す断面模式図であり、図６は図１の空気清浄緑化装置に用いられる背面カバー枠の側面図である。
【００２０】
（基本構造）
まず、本発明に係る空気清浄緑化装置の基本構成を図１、２に基づいて説明する。
本発明の空気清浄緑化装置１は、植栽容器２と筐体３とファン４と第一整流部材５を主要な構成要件として構成されている。
【００２１】
また、図１、２に示す空気清浄緑化装置１においては、筐体３の背面には筐体３の背面を覆う背面カバー６が設けられており、空気清浄緑化装置１の下方（筐体３の下）には排気ファン７、ポンプ８、タンク９、制御装置１０が設けられており、空気清浄緑化装置１の下部には設置脚１１が取り付けられている構造となっている。
さらに、タンク９と植栽容器２はポンプ８および給水配管（図示せず）によって接続されており、植栽容器２および筐体３には植栽容器２からの排水をタンク９に戻したり、空気清浄緑化装置１の外に排出したりするための排水配管（図示せず）など排水手段が設けられている構造となっている。
【００２２】
なお、図１、２に示す空気清浄緑化装置１は、主要な構成要件である植栽容器２と筐体３とファン４と第一整流部材５を複数ユニット用意し、該ユニットを上下に多段に配置した形態となっているが、本発明の空気清浄緑化装置はこの形態に限定されるものではなく、主要な構成要件である植栽容器２と筐体３とファン４と第一整流部材５が１ユニットのみからなる形態や複数のユニットを左右に複数配置する形態など各種の形態を採用することができる。
【００２３】
次に、各構成要件を図１〜６に基づいて説明する。
【００２４】
（植栽容器、植栽部）
本発明に用いられる植栽容器２は、図１〜４に示すように、縦長の直方体の箱型形状をした容器であり、正面側には植栽が植えられる植栽部１２が設けられており、背面側は全面に通気孔１３が設けられた背面板１４によって閉じられており、上面側は上面板１５によって閉じられている構造となっているものである。また、容器内部には土壌および／または基盤が充填される構造となっているものである。
【００２５】
なお、植栽部１２の構造については特に限定されるものではなく、図１〜４に示すようなカップ状だけでなく、円筒状、角筒状、円錐状、おわん状など各種の構造のものを用いることができる。また、場合によっては植栽部を設けずに植栽容器２に直接植物を植えることもできる。
そしてその中でも、図１〜４に示すように、植栽容器２の正面側を複数の開口１６と通気孔１７を設けた正面板１８で閉じ、上端部１９にフランジ２０を設けるとともに側面に通気溝２１を備えるカップ状容器２２と、フランジ２３を設けるとともに上記上端部１９の外周に着脱自在に装着されるリング状部材２４を用いる構造とすれば、空気漏れや水漏れなどを起こすことなく、密閉性を確保しながら植栽部１２を植栽容器２に設けることができるので好適である。
すなわち、植栽容器２の正面側を正面板１８で閉じた後、植栽容器２（正面板１８）の内側からカップ状容器２２を上端部１９が突出するように開口１６に挿入し、植栽容器２（正面板１８）の外側からリング状部材２４を突出した上端部１９に装着することによって、両フランジ２０、２３による挟持効果が発現し、空気漏れや水漏れなどを起こすことなく、密閉性を確保しながら植栽部１２を植栽容器２に設置することができるのである。
また、カップ状容器２２の上端部１９とリング状部材２４とは螺合されることによって植栽容器２（正面板１８）に装着される構造とすれば、空気漏れや水漏れなどを防止しつつ、作業の効率化を図ることができるので好適である。
【００２６】
（筐体）
本発明に用いられる筐体３は、図１、２、４に示すように、縦長の直方体の箱型形状をした容器であり、正面側に開口２５を有するとともに、植栽容器２を収納する収納空間２６が設けられた構造となっているものである。また、収納空間２６に植栽容器２が収納された際に植栽容器２と筐体３との間に通気空間２７が形成される（植栽容器２と筐体３との間の収納空間２６が通気空間２７となる）構造となっているものである。
【００２７】
また、筐体３には正面側の開口２５とは別の開口２８が設けられており、係る別の開口２８にはファン４が設置されている構造となっているものである。さらに、ファン４の吸気口側には第一整流部材５が設置されている構造となっているものである。
なお、図１、２、４に示す形態においては、第一整流部材５をファン４の吸気口側に設けた形態を採用しているがこれに限定されるものではなく、第一整流部材５をファン４の排気口側に設けることもできるし、吸気口側と排気口側の両方に設けることもできる。
【００２８】
別の開口２８（ファン４と第一整流部材５を含む）の位置については、正面側の開口２５と別の位置に設けられていれば特に限定されるものではなく、筐体３の上面、下面、側面のどの位置にでも設けることができる。そしてその中でも、図１、２、４、５に示すように、筐体３の背面板２９の中央部に別の開口２８（ファン４と第一整流部材５を含む）を設ける構造とすれば、植栽容器２（植栽部１２）を通過した空気の通気空間２７における通過距離を短くすることができることになり、空気の排出効率をより向上させることができるので好適である。そしてその結果、通気空間２７内における乱流などの発生をより防止し、通気空間２７内の空気の流れをより整えることができることになり、植栽部１２を通過する空気（外気）の風量をより確保することができるので好適である。また、空気（外気）をよりスムースに植栽部１２に通過させることができることから、空気清浄効果をより向上させることができるので好適である。
【００２９】
（第一整流部材）
第一整流部材５の構造としては、植栽容器２（植栽部１２）を通過した空気が通気空間２７内において乱流などを発生させることなく、通気空間２７内の空気の流れを整えることができるものであれば特に限定されるものではなく、各種の構造のものを用いることができる。そしてその中でも、図１、２、４、５に示すように、吸気口側および／または排気口側から離れるにつれて拡がるように形成された構造（より具体的には、下端部が四角形の底開口であり、上方になるにつれて徐々に外方に傾斜して拡がって上端部に底開口よりも大きい四角形の開口が形成された構造）とすれば、通気空間２７の空気の流れをより整えることができるので好適である。
【００３０】
（ファン）
ファン４については、空気を吸気し排気することができるものであれば特に限定されるものではなく、各種のファンを用いることができる。
また、ファン４の筐体３（別の開口２８）への設置形態についても特に限定されるものではないが、図５に示すように、第一整流部材５および取付板３０を収納空間２６側からビス３１ａなどを用いて別の開口２８に取付け、ファン４は筐体３の外側から取付板３０にビス３１ｂなどを用いて取付ける形態を採用することが好ましい。すなわち、このような設置形態を採用すれば、空気清浄緑化装置１の設置後にファン４のメンテナンスや交換を行う際、空気清浄緑化装置１の正面側からしか作業ができない場合には筐体３から植栽容器２を取り外した後、ビス３１ａを外すことによってファン４を取付板３０ごと取り出してメンテナンスや交換を行うことができるし、逆に空気清浄緑化装置１の背面側からしか作業ができない場合には後記する背面カバー６を取り外した後、ビス３１ｂを外すことによってファン４を取り出してメンテナンスや交換を行うことができるので好適である。
【００３１】
（背面カバー）
さらに、本発明の空気清浄緑化装置においては、図１、２に示すような植栽容器２と筐体３とファン４と第一整流部材５を複数ユニット用いる場合には、筐体３の背面に筐体３の背面を覆う背面カバー６を設けることができる。なお、背面カバー６を設けた場合には、本発明における通気空間２７は、植栽容器２と収納空間２６によって形成された通気空間２７ａに加えて、筐体３の背面と背面カバー６との間に形成された通気空間２７ｂも含まれることになる。
【００３２】
ここで、背面カバー６の構造については特に限定されるものではないが、複数の筐体３（ファン４）から排出される空気をより効率的に空気清浄緑化装置１の外に排出するためには、筐体３と背面カバー６との間の密閉性を確保する（背面カバー６の継ぎ目などから空気が漏れださないようにする）必要がある。そこで、背面カバー６の構造としては、図２、６に示す複数の筐体３の背面に連結することができる背面カバー枠６ａと、背面カバー枠６ａの背面を覆うことができる背面カバー板６ｂによって形成される構造とすることが好ましく、さらに筐体３と背面カバー６との間の密閉性をより確保するためには、背面カバー枠６ａと背面カバー板６ｂを一体成形したものを採用することが好ましい。
なお、メンテナンス性を考慮した場合には、パッキンなどを用いて背面カバー枠６ａと背面カバー板６ｂとの間の密閉性を確保した上で、背面カバー６を、図２、６に示す背面カバー枠６ａと、背面カバー板６ｂに分割する構造（図２に示す構造）を採用することが好ましい。
【００３３】
（第二整流部材）
また、このような背面カバー６を設けた場合には、複数の筐体３（ファン４）から排出される空気が背面カバー６内において乱流などを発生させることなく、より効果的に空気清浄緑化装置１の外に排出するために背面カバー６内に第二整流部材３２を設けることが好ましい。
なお、第二整流部材３２の構造については特に限定されるものではないが、図２、６に示すように、背面カバー枠６ａの内側の角部を円弧状とするものが好ましく、その中でも背面カバー枠６ａの内面の角部を円弧状とするものが好ましい。
また、図１、２に示す空気清浄緑化装置１においては、第二整流部材３２を背面カバー枠６ａの内上面の角部のみに設けているが、背面カバー枠６ａの内下面の角部にも設ければ、より効果を向上させることができるので好適である。
【００３４】
次に、上記のように構成された空気清浄緑化装置１の動作および作用を次に説明する。
【００３５】
まず、図３に示すように、植栽容器２（正面板１８）の内側からカップ状容器２２を上端部１９が突出するように挿入し、植栽容器２（正面板１８）の外側からリング状部材２４を装着することによって、植栽部１２を植栽容器２に作製する。
次に、図４に示すように、植栽容器２の上面側を上面板１５によって閉じた後、背面側から土壌および／または基盤を充填し、背面板１４によって背面側を閉じることによって、植栽部１２に植物を植えることができる形態を作製する。
【００３６】
次に、図５に示すように、第一整流部材５および取付板３０を筐体３の別の開口２８に収納空間２６側からビス３１ａなどを用いて取付け、ファン４を筐体３の外側から係る取付板３０にビス３１ｂなどを用いて取付ける。なお、この際、給水配管および排水配管の取付けも行う。
次に、図４に示すように、上記にて植栽部１２を設置し、土壌および／または基盤を充填した植栽容器２を筐体３（収納空間２６）に収納し、ビス（図示せず）などを用いて筐体３に取付け、主要な構成要件である植栽容器２と筐体３とファン４と第一整流部材５のユニットを作製する。
【００３７】
次に、図１、２に示すように、上記にて作製したユニットを上下に多段に配置し、背面カバー６、排気ファン７、ポンプ８、タンク９、制御装置１０、設置脚１１などを取付け、植栽部１２に植物を植えることによって空気清浄緑化装置１を完成する。
【００３８】
そして、上記のようにして作製した空気清浄緑化装置１を空気清浄や緑化を行いたい場所に設置する。
【００３９】
次に、制御装置１０によってファン４を稼働、制御することで通気空間２７ａ内の空気の排出を開始する。そうすると、通気空間２７ａ内の空気が排出されることによって、外気が植栽部１２に取り込まれることになり、植栽部１２内に充填された土壌や基盤によって空気清浄が行われることになる。
【００４０】
そしてこの際、ファン４の吸気口側および／または排気口側には第一整流部材５が設けられていることから、図１に示すように、通気空間２７ａ内の空気の流れが整えられることになり、植栽容器２（植栽部１２）を通過した空気が通気空間２７内において滞留することなく通気空間２７（収納空間２６）の外に排出されることになる。
従って、植栽部１２を通過した空気が通気空間２７ａ内に滞留することなく通気空間２７ａ（収納空間２６）の外に排出されることになることから、空気（外気）がスムースに空気清浄緑化装置１（植栽部１２）に取り込まれることになり、植栽部１２を通過する空気（外気）の量を確保することができることになる。そして、空気（外気）をスムースに植栽部１２に通過させることができることから、空気清浄効果を向上させることができることになる。
【００４１】
また、植栽部１２を通過した空気をスムースに通気空間（収納空間）の外に排出することができることから、通気空間内には若干の負圧効果も生じることになり、この点からも空気（外気）がスムースに装置内（植栽部１２）に取り込まれることになり、植栽部１２を通過する空気（外気）の量を確保することができることになる。
【００４２】
さらに、通気空間内の空気の流れを整えることができることから、装置から発生する振動や騒音を低減することもできることになる。
【００４３】
次に、通気空間２７ａから排出された空気は、背面カバー６内（通気空間２７ｂ）を通過して空気清浄緑化装置１の外に排出されることになる。
そしてこの際、背面カバー６内には第二整流部材３２が設けられていることから、図１に示すように、通気空間２７ｂ内の空気の流れが整えられることになり、その結果第一整流部材５による通気空間２７ａ内の空気の排出効果がより向上し、植栽部１２を通過する空気（外気）の風量をより確保することができることになる。そして、空気（外気）をよりスムースに植栽部１２に通過させることができることから、空気清浄効果をより向上させることができることになる。
【００４４】
また、［００４０］〜［００４２］に記載の効果をより向上させることができることになる。
【００４５】
以上のとおり、本発明の空気清浄緑化装置は、整流部材を設けることによって、通気空間内における乱流などの発生を防止し、通気空間内の空気の流れを整えることができることから、植栽部を通過する空気（外気）の風量を確保することができる。また、空気（外気）をスムースに植栽部に通過させることができることから、空気清浄効果を向上させることができることになる。
【産業上の利用可能性】
【００４６】
本発明の空気清浄緑化装置は、屋外や屋内の空気清浄および緑化に用いることができる。
【符号の説明】
【００４７】
１    空気清浄緑化装置
２    植栽容器
３    筐体
４    ファン
５    第一整流部材
６    背面カバー
６ａ    背面カバー枠
６ｂ    背面カバー板
７    排気ファン
８    ポンプ
９    タンク
１０  制御装置
１１  設置脚
１２  植栽部
１３  （背面板の）通気孔
１４  （植栽容器の）背面板
１５  上面板
１６  （正面板の）開口
１７  （正面板の）通気孔
１８  正面板
１９  上端部
２０  フランジ
２１  通気溝
２２  カップ状容器
２３  フランジ
２４  リング状部材
２５  （筐体の）開口
２６  収納空間
２７  通気空間
２７ａ  通気空間
２７ｂ  通気空間
２８  （筐体の）別の開口
２９  （筐体の）背面板
３０  取付板
３１  ビス
３１ａ  ビス
３１ｂ  ビス
３２  第二整流部材
【図１】
2018102221.tif 000003
【図２】
2018102221.tif 000004
【図３】
2018102221.tif 000005
【図４】
2018102221.tif 000006
【図５】
2018102221.tif 000007
【図６】
2018102221.tif 000008